(57)【要約】【課題】ソーシャルロケーションサービス方法を提供する。【解決手段】本発明はソーシャルロケーションサービス技術に関し、ソーシャルロケーションアプリケーションが使用者が位置する場所の周辺に対して予め備えられた位置リストを提供し、位置リストから特定位置に対する使用者のチェックイン入力を受けて、チェックイン入力が提供された位置に対して、チェックインの総回数とチェックイン入力を提供した使用者の人数に基づいて「面積指標」を算出することによって、ゲーム的な要素を提供することができる。
2012524359.tif 000002
【特許請求の範囲】
【請求項１】
携帯端末機は使用者が位置する場所の周辺に対してソーシャルロケーションサービスサーバに予め備えられた位置リストを提供されて画面に表示するステップ；
前記携帯端末機は前記位置リストから特定位置に対する使用者のチェックイン入力を受けて前記ソーシャルロケーションサービスサーバに伝送するステップ；
前記ソーシャルロケーションサービスサーバはターゲット位置に対して、チェックインの総回数及びチェックイン入力を提供した使用者の人数に基づいて前記ターゲット位置に対する評価値である「面積指標」を算出するステップ；
前記ソーシャルロケーションサービスサーバは使用者に対して前記ターゲット位置での点数を与えて点数情報を生成するステップ；
前記ソーシャルロケーションサービスサーバは前記ターゲット位置で点数を割り当てられた使用者のうち所定の規定に沿って選択された使用者に対して前記算出された面積指標を分割して分割面積指標を提供するステップ；
前記ソーシャルロケーションサービスサーバは使用者に対して分割面積指標を合算して総面積指標を計算し前記計算された総面積指標が予め設定された基準以上である場合に地主情報を生成するステップ；
前記ソーシャルロケーションサービスサーバは各ターゲット位置毎に点数が最も高い使用者に対して位置代表情報を生成するステップ；
を含むソーシャルロケーションサービス方法。
【請求項２】
前記ターゲット位置に対する面積指標は下記の数式（１）により算出されることを特徴とする請求項１に記載のソーシャルロケーションサービス方法。
面積指標＝（チェックイン入力を提供した使用者の人数×第１加重値）＋（チェックイン総回数×第２加重値）   （１）
【請求項３】
前記携帯端末機は前記ターゲット位置に対して算出された「面積指標」、前記点数情報、前記算出された分割面積指標、前記地主情報、前記位置代表情報のうち一つ以上を前記ソーシャルロケーションサービスサーバから提供されて画面に表示するステップ；
をさらに含んで構成される請求項２に記載のソーシャルロケーションサービス方法。
【請求項４】
前記チェックイン入力を受けてソーシャルロケーションサービスサーバに伝送するステップは、
前記携帯端末機がチェックインメニューを画面に表示し、使用者のチェックインメニュー選択によってチェックイン入力を提供され、
前記チェックインメニューは、
同じ位置に対してチェックイン入力が提供された後は所定時間が経過した後に活性化され、
前記同じ位置に対して所定時間の間に予め設定された回数以下に対してのみ活性化されることを特徴とする請求項１に記載のソーシャルロケーションサービス方法。
【請求項５】
前記位置リスト表示ステップの前に、
前記携帯端末機が使用者の操作によって特定位置を代表する位置を入力されて前記ソーシャルロケーションサービスサーバに伝送するステップ；
前記ソーシャルロケーションサービスサーバが前記伝送された特定位置の代表位置を前記位置リストに挿入するステップ；
をさらに含んで構成される請求項１に記載のソーシャルロケーションサービス方法。
【請求項６】
前記ソーシャルロケーションサービス方法は、
前記携帯端末機が使用者がいる位置をソーシャルロケーションサービスサーバに登録して知らせるステップ；
前記ソーシャルロケーションサービスサーバは使用者がいる位置を登録して知らせるステップで発生するイベントに対して点数を与え、前記与えられた点数を前記携帯端末機で各位置毎に表示させるステップ；及び
前記ソーシャルロケーションサービスサーバはイベントに対する前記使用者の行為が所定条件を満たす場合に該当条件を満たした証拠に該当するスタンプを発行し、前記スタンプが携帯端末機に表示されるようにするステップ；
をさらに含み、
前記スタンプを表示するステップは、
前記ソーシャルロケーションサービスサーバが位置登録、チェックイン、意見登録のうち選択された一つの機能に対する所定条件の組み合わせにより与えた機能型スタンプを携帯端末機に表示させるステップ；
前記ソーシャルロケーションサービスサーバは使用者の携帯端末機が遺跡地、観光地又は文化遺産のうちいずれか一つの特定地域範囲を代表する対象物に位置する時に与える地域型スタンプを携帯端末機に表示させるステップ；
前記ソーシャルロケーションサービスサーバは特定地域を訪れる度に与えられた地域型スタンプが所定個数以上である場合機能型スタンプを発行し、機能型スタンプと地域型スタンプの組み合わせで構成された企業型スタンプを前記携帯端末機に表示させるステップ；
を含んで構成されることを特徴とする請求項１に記載のソーシャルロケーションサービス方法。
【請求項７】
前記地域型スタンプを表示するステップは、
前記ソーシャルロケーションサービスサーバが所定回数分与えられたスタンプを他の使用者に分配する属性を持つ切手型のスタンプを発行して、前記携帯端末機に表示させるステップ；
前記ソーシャルロケーションサービスサーバが使用者が特定地域に位置することで一回与えられ他の使用者に発送可能な属性を持つ観光型のスタンプを発行して、前記携帯端末機に表示させるステップ；
を含んで構成されることを特徴とする請求項６に記載のソーシャルロケーションサービス方法。
【請求項８】
前記地域型スタンプを表示するステップで、
前記携帯端末機は、
スタンプ画面に表示された「要請する」ボタンが選択されると、前記ソーシャルロケーションサービスサーバにスタンプ要請情報を伝送し、
スタンプ画面で「受け取った人」ボタンが選択されると、前記ソーシャルロケーションサービスサーバからスタンプ画面に表示されるスタンプを受け取った人リストを受信して表示し、前記受け取った人リストのうちいずれか一人が選択されると、前記ソーシャルロケーションサービスサーバに前記選択された人に対するスタンプ要請情報を伝送し、
スタンプ画面で「プレゼントする」ボタンが選択されると、スタンプ画面に表示されるスタンプを要請した人又は関心友達情報を前記ソーシャルロケーションサービスサーバから受信して表示し、表示されたスタンプを要請した人又は関心友達のうちいずれか一人が選択されると、前記選択された人に対してスタンプをプレゼントすることを前記ソーシャルロケーションサービスサーバに要請することを特徴とする請求項６に記載のソーシャルロケーションサービス方法。
【請求項９】
前記ソーシャルロケーションサービス方法は、
前記携帯端末機が使用者がいる位置を前記ソーシャルロケーションサービスサーバに登録して知らせるステップ；
前記ソーシャルロケーションサービスサーバは前記使用者がいる位置を登録して知らせるステップで発生するイベントに対して点数を与え、前記与えられた点数を各位置毎に前記携帯端末機で表示させるステップ；
前記ソーシャルロケーションサービスサーバは前記イベントに対する前記使用者の行為が所定条件を満たす場合に該当条件を満たした証拠に該当するスタンプを発行して前記携帯端末機に表示させるステップ；
をさらに含んで構成され、
前記使用者がいる位置を登録して知らせるステップは、
販売時点情報管理（ＰＯＳ）機器に使用者のソーシャルロケーションサービスＩＤを予め保存するステップ；
前記ＰＯＳ機器が前記予め保存されたソーシャルロケーションサービスＩＤと同じ情報を入力される場合、前記ＰＯＳ機器は使用者が該当場所に位置することを証明する情報をソーシャルロケーションサービスサーバに伝送するステップ；及び
前記ソーシャルロケーションサービスサーバが前記ソーシャルロケーションサービスＩＤに対応する使用者の携帯端末機に認証結果を伝送するステップ；
を含んで構成されることを特徴とする請求項１に記載のソーシャルロケーションサービス方法。
【請求項１０】
前記ソーシャルロケーションサービス方法は、
前記携帯端末機が使用者がいる位置を前記ソーシャルロケーションサービスサーバに登録して知らせるステップ；
前記ソーシャルロケーションサービスサーバは前記使用者がいる位置を登録して知らせるステップで発生するイベントに対して点数を与え、与えられた点数を各位置毎に前記携帯端末機に表示させるステップ；
前記ソーシャルロケーションサービスサーバは前記イベントに対する前記使用者の行為が所定条件を満たす場合に該当条件を満たした証拠に該当するスタンプを発行して、前記携帯端末機を介して表示させるステップ；
をさらに含んで構成され、
前記使用者がいる位置を登録して知らせるステップは、
前記携帯端末機がカメラモジュールを用いて前記使用者がいる位置に関する写真画像を獲得してソーシャルロケーションサービスサーバに伝送するステップ；
前記ソーシャルロケーションサービスサーバは前記伝送された写真画像に含まれた対象物の真偽を判断するステップ；
前記ソーシャルロケーションサービスサーバは前記真偽判断の結果から前記使用者が該当場所にいることを認証するステップ；
を含んで構成されることを特徴とする請求項１に記載のソーシャルロケーションサービス方法。
【請求項１１】
前記ソーシャルロケーションサービス方法は、
前記携帯端末機が使用者がいる位置を前記ソーシャルロケーションサービスサーバに登録して知らせるステップ；
前記ソーシャルロケーションサービスサーバが前記使用者がいる位置を登録して知らせるステップで発生するイベントに対して点数を与え、前記与えられた点数を各位置毎に前記携帯端末機に表示させるステップ；
前記ソーシャルロケーションサービスサーバが前記イベントに対する前記使用者の行為が所定条件を満たす場合に該当条件を満たした証拠に該当するスタンプを発行して前記携帯端末機に表示させるステップ；
をさらに含んで構成され、
前記使用者がいる位置を登録して知らせるステップは、
販売時点情報管理機器と連動するソーシャルロケーションサービスサーバが発行した識別コードを出力媒体を通じて提供するステップ；
前記携帯端末機が識別コード画像を獲得して前記ソーシャルロケーションサービスサーバに伝送するステップ；
前記ソーシャルロケーションサービスサーバが前記識別コード画像の真偽を判断して前記携帯端末機に認証結果を伝送するステップ；
を含んで構成されることを特徴とする請求項１に記載のソーシャルロケーションサービス方法。
【請求項１２】
前記ソーシャルロケーションサービス方法は、
前記携帯端末機は他の使用者、ターゲット位置、スタンプのうちいずれか一つを関心を与える対象情報として使用者により選択されて前記ソーシャルロケーションサービスサーバに提供するステップ；
前記ソーシャルロケーションサービスサーバは前記提供された関心を与える対象情報に基づいて関心を与えているリスト、関心を寄せてくれているリスト、関心位置リストのうち一つ以上を生成するステップ；
をさらに含んで構成される請求項１に記載のソーシャルロケーションサービス方法。 
【発明の詳細な説明】
【技術分野】
【０００１】
本発明はソーシャルロケーションサービス技術に関し、特に使用者がいる位置に基づいて使用者のチェックイン行為に応じて位置に基づいたソーシャルネットワークサービスを提供するソーシャルロケーションサービス技術に関する。
【背景技術】
【０００２】
ソーシャルネットワーク（Ｓｏｃｉａｌ  Ｎｅｔｗｏｒｋ）は個人又は集団がノード（ｎｏｄｅ）になり各ノードの間の相互関係によって作られる社会的関係構造のことである。このようなソーシャルネットワークサービスにはツイッター（ｔｗｉｔｔｅｒ）やフェイスブック（ｆａｃｅｂｏｏｋ）があり次第に広がっている。しかし、使用者が位置する地理的位置に基づいたソーシャルネットワークサービスはまだ提供されていない。
【発明の概要】
【発明が解決しようとする課題】
【０００３】
本発明の目的は、ソーシャルロケーションアプリケーションが使用者が位置する場所の周辺に対して予め備えられた位置リストを提供し、位置リストから特定位置に対する使用者のチェックイン入力を受け、チェックイン入力が提供された位置（以下「ターゲット位置」と称する）に対して、ターゲット位置に入力されたチェックインの総回数とターゲット位置にチェックイン入力を提供した使用者の人数に基づいてターゲット位置に対する評価値である「面積指標」を算出することによって、ゲーム的な要素を提供する位置に基づいたソーシャルネットワークサービスであるソーシャルロケーションサービス技術を提供することにある。
【課題を解決するための手段】
【０００４】
本発明のソーシャルロケーションサービス方法は、携帯端末機は使用者が位置する場所の周辺に対してソーシャルロケーションサービスサーバに予め備えられた位置リストを提供されて画面に表示するステップ；携帯端末機は位置リストから特定位置に対する使用者のチェックイン入力を受けてソーシャルロケーションサービスサーバに伝送するステップ；ソーシャルロケーションサービスサーバはチェックインのターゲット位置に対して、チェックインの総回数とチェックイン入力を提供した使用者の人数に基づいてターゲット位置に対する評価値である「面積指標」を算出するステップ；ソーシャルロケーションサービスサーバは使用者に対してターゲット位置での点数を与えて点数情報を生成するステップ；ソーシャルロケーションサービスサーバはターゲット位置で点数を割り当てられた使用者のうち所定の規定に沿って選択された使用者に対して分割面積指標を算出するステップ；ソーシャルロケーションサービスサーバは前記選択された使用者に対して一つ以上のターゲット位置に対するそれぞれの分割面積指標が算出された場合、算出された分割面積指標を合算して総面積指標を計算し計算された総面積指標が予め設定された基準以上である場合に地主情報を生成するステップ；ソーシャルロケーションサービスサーバは各ターゲット位置毎に点数が最も高い使用者に対して位置代表情報を生成するステップを含む。
【発明の効果】
【０００５】
本発明によれば、ソーシャルロケーションアプリケーションが使用者が位置する場所の周辺に対して予め備えられた位置リストを提供し、位置リストから特定位置に対する使用者のチェックイン入力を受け、チェックイン入力が提供された位置（以下「ターゲット位置」と称する）に対して、ターゲット位置に入力されたチェックインの総回数とターゲット位置にチェックイン入力を提供した使用者の人数に基づいてターゲット位置に対する評価値である「面積指標」を算出することによって、ゲーム的な要素を提供することができる。
【０００６】
また、本発明によれば、使用者が位置する位置を登録しチェックイン行為によって位置代表又は地主の名誉を獲得して位置に基づいたソーシャルネットワークゲームを楽しむ効果がある。
【図面の簡単な説明】
【０００７】
【図１】本発明の実施例によるソーシャルロケーションサービスシステムを示す図である。
【図２】本発明によるソーシャルロケーションサービスで第１実施例の画面構成を示す例示図である。
【図３】本発明によるソーシャルロケーションサービスで第２実施例の画面構成を示す例示図である。
【図４】本発明によるソーシャルロケーションサービス方法で位置に対する価値評価方法を例示する図である。
【図５】本発明によるソーシャルロケーションサービス方法で位置に対する面積指標を計算する算出式を示す例示図である。
【図６】本発明によるソーシャルロケーションサービス方法で所定条件の組み合わせにより与えられる機能型スタンプを例示する図である。
【図７】本発明によるソーシャルロケーションサービス方法で実際与えられた機能型スタンプの例示図である。
【図８】本発明によるソーシャルロケーションサービス方法で特定地域範囲を代表する有形・無形の対象物を表現した地域型スタンプを例示する図である。
【図９】本発明によるソーシャルロケーションサービス方法で実際与えられた地域型スタンプの例示図である。
【図１０】本発明によるソーシャルロケーションサービス方法で企業の広報及びマーケティングを目的に与えられる企業型スタンプを例示する図である。
【図１１】本発明によるソーシャルロケーションサービス方法で実際与えられた企業型スタンプの例示図である。
【図１２】本発明によるソーシャルロケーションサービス方法で販売時点情報管理機器により使用者が特定位置にいることを証明する認証方法を示す例示図である。
【図１３】本発明によるソーシャルロケーションサービス方法でカメラ機能により使用者が特定位置にいることを証明する認証方法を示す例示図である。
【図１４】本発明によるソーシャルロケーションサービス方法で識別コード又は画像を介して使用者が特定位置にいることを証明する認証方法を示す例示図である。
【図１５】本発明で地域型スタンプのやりとりを行う方法を例示する図である。
【図１６】本発明で地域型スタンプを要請する方法の第１例示図である。
【図１７】本発明で地域型スタンプを要請する方法の第２例示図である。
【図１８】本発明で地域型スタンプをプレゼントする方法の第１例示図である。
【図１９】本発明で地域型スタンプをプレゼントする方法の第２例示図である。
【図２０】本発明で使用者ポスティング機能を提供する方法を例示する図である。
【図２１】本発明で使用者ポスティング画面の例示図である。
【図２２】本発明で関心ポスティング機能を提供する方法を例示する図である。
【図２３】本発明で関心ポスティング画面の例示図である。
【図２４】本発明で周辺ポスティング機能を提供する方法を例示する図である。
【図２５】本発明で周辺ポスティング画面の例示図である。
【図２６】本発明の実施例による関心を与えている友達画面、関心を寄せてくれている友達画面、関心位置画面を例示する図である。
【発明を実施するための形態】
【０００８】
以下、本発明の実施例を図面を参照しながら詳しく説明する。
ソーシャルロケーションサービスは使用者がいる位置を登録しその登録した位置を知らせる過程で他の使用者と競えるように使用者の行為に応じて与えられる点数と位置の価値を示す面積指標、そして特定の条件で与えられるスタンプのようなゲーム的な要素を共に提供するソーシャルネットワークサービスである。
【０００９】
ソーシャルロケーションサービス方法はゲーム的な要素として特定位置に対する位置代表、地域又は全国にわたる地主のような名誉を提供して使用者の興味を高める。さらにソーシャルロケーションサービス方法は特定の条件やミッションを行う時にスタンプを与えてコレクションの価値を提供することで順位競争のゲーム的な要素以外の面白さも共に提供する。
【００１０】
ソーシャルロケーションサービス方法はゲーム的な要素以外に特定位置に対する意見を共有し使用者がいる位置に対する情報と短い文章を外部のマイクロブログを通じて掲示することによって様々な有用な情報を他の使用者と共有できるコミュニティ環境を提供する。
【００１１】
図１は、本発明の実施例によるソーシャルロケーションサービスシステムを示す図である。携帯端末機２００は使用者が位置する場所の周辺に対してソーシャルロケーションサービスサーバ１００に予め備えられた位置リストを提供されて画面に表示し、位置リストから特定位置に対する使用者のチェックイン入力を受けてソーシャルロケーションサービスサーバ１００に伝送する。
【００１２】
これにより、ソーシャルロケーションサービスサーバ１００はチェックイン入力が提供された位置（以下「ターゲット位置」と称する）に対して、ターゲット位置に入力されたチェックインの総回数とターゲット位置にチェックイン入力を提供した使用者の人数に基づいてターゲット位置に対する評価値である「面積指標」を算出する。使用者に対してターゲット位置での点数を与えて点数情報を生成し、ターゲット位置で点数を割り当てられた使用者のうち所定の規定に沿って選択された使用者に対して前記算出された面積指標を分割して分割面積指標を算出する。使用者毎に分割面積指標を合算して総面積指標を計算し、総面積指標が予め設定された基準以上である場合に地主情報を生成する。ターゲット位置毎に点数が最も高い使用者に対して位置代表情報を生成する。
【００１３】
この時、ターゲット位置に対する面積指標は下記の数式（１）により算出されることが好ましい。
面積指標＝（チェックイン入力を提供した使用者の人数×第１加重値）＋（チェックイン総回数×第２加重値）   （１）
携帯端末機２００はターゲット位置に対して算出された「面積指標」、点数情報、分割面積指標、地主情報、位置代表情報のうち一つ以上をソーシャルロケーションサービスサーバ１００から提供されて、画面に表示することができる。また、携帯端末機２００はチェックインメニューを画面に表示し、使用者のチェックインメニュー選択によってチェックイン入力を提供される。チェックインメニューは同じ位置に対してチェックイン入力が提供された後は所定時間が経過した後に活性化される。同じ位置に対して所定時間の間は所定回数以下に対してのみ有効として処理することが好ましい。
【００１４】
また、携帯端末機２００は使用者の操作により特定位置を代表する位置を入力されてソーシャルロケーションサービスサーバ１００に伝送し、ソーシャルロケーションサービスサーバ１００は伝送された特定位置の代表位置を位置リストに挿入できる。
【００１５】
ソーシャルロケーションサービスサーバ１００は使用者がいる位置を登録して知らせる過程で発生するイベントに対して点数を与え、与えられた点数を携帯端末機２００で各位置毎に表示する。イベントに対する使用者の行為が所定の条件を満たすとスタンプを発行して携帯端末機２００に表示させる。
【００１６】
この時、ソーシャルロケーションサービスサーバ１００は位置登録、チェックイン、意見登録のうち選択された一つの機能に対する所定組み合わせによって与えた機能型スタンプを携帯端末機２００に提供する。特定地域を代表する対象物（例：遺跡地、観光地、文化遺産）に対して与える地域型スタンプを携帯端末機２００へ提供する。特定地域を訪れる度に与えられた地域型スタンプが所定個数以上であれば機能型スタンプを発行し、機能型スタンプと地域型スタンプの組み合わせで構成された企業型スタンプを提供することができる。
【００１７】
また、ソーシャルロケーションサービスサーバ１００は所定回数分与えられたスタンプを他の使用者に分配する属性を持つ切手型のスタンプを発行して、携帯端末機２００へ提供する。特定地域で他の使用者に発送可能な属性を持つ観光型のスタンプを発行して、携帯端末機２００へ提供することができる。
【００１８】
携帯端末機２００はスタンプ画面に表示された「要請する」ボタンが選択されるとソーシャルロケーションサービスサーバ１００へスタンプ要請情報を伝送する。スタンプ画面で「受け取った人」のボタンが選択されると、ソーシャルロケーションサービスサーバ１００からスタンプ画面に表示されるスタンプを受け取った人リストを受信して表示する。受け取った人リストのうちいずれか一人が選択されると、ソーシャルロケーションサービスサーバ１００へ選択された人に対するスタンプ要請情報を伝送する。スタンプ画面で「プレゼントする」ボタンが選択されると、スタンプ画面に表示されるスタンプを要請した人又は関心友達情報をソーシャルロケーションサービスサーバ１００から受信して表示する。表示されたスタンプを要請した人又は関心友達のうちいずれか一人が選択されると、選択された人に対してスタンプを「プレゼントする」ことをソーシャルロケーションサービスサーバ１００に要請できる。
【００１９】
ソーシャルロケーションサービスサーバ１００は使用者がいる位置を登録して知らせる過程で発生するイベントに対して点数を与え、与えられた点数を各位置毎に携帯端末機２００で表示させ、イベントに対する使用者の行為が所定条件を満たす場合に該当条件を満たした証拠に該当するスタンプを発行して携帯端末機２００に表示できる。
【００２０】
販売時点情報管理（ＰＯＳ）機器に使用者のソーシャルロケーションサービスＩＤを予め保存し、ＰＯＳ機器が予め保存されたソーシャルロケーションサービスＩＤと同じ情報を入力される場合、販売時点情報管理機器は使用者が該当場所に位置することを証明する情報をソーシャルロケーションサービスサーバ１００に伝送し、ソーシャルロケーションサービスサーバ１００はソーシャルロケーションサービスＩＤに対応する使用者の携帯端末機に認証結果を伝送できる。
【００２１】
携帯端末機２００はカメラモジュールを用いて使用者がいる位置に関する写真画像を獲得してソーシャルロケーションサービスサーバ１００に伝送する。ソーシャルロケーションサービスサーバ１００は写真画像に含まれた対象物の真偽を判断し、真偽判断の結果から使用者が該当場所にいることを認証できる。
【００２２】
ＰＯＳ機器と連動するソーシャルロケーションサービスサーバ１００が発行した識別コードを販売時点情報管理機器の出力媒体を通じて提供することができる。携帯端末機２００がカメラモジュールで識別コード画像を獲得してソーシャルロケーションサービスサーバ１００に伝送すると、ソーシャルロケーションサービスサーバ１００が識別コード画像の真偽を判断して携帯端末機１００に認証結果を伝送できる。
【００２３】
携帯端末機２００は他の使用者、ターゲット位置、スタンプのうちいずれか一つを関心を与える対象情報として使用者により選択されてソーシャルロケーションサービスサーバ１００へ提供し、ソーシャルロケーションサービスサーバ１００は提供された関心を与える対象情報に基づいて関心を与えているリスト、関心を寄せてくれているリスト、関心位置リストのうち一つ以上を生成できる。
【００２４】
図２は、本発明によるソーシャルロケーションサービス方法で第１実施例の画面構成を示す例示図である。ソーシャルロケーションサービス方法はソーシャルロケーションアプリケーションのユーザインタフェース画面に使用者名前、点数、スタンプ、地主、位置代表、使用者がチェックインした位置、使用者が登録した意見、チェックイン、意見を表示する。
【００２５】
ソーシャルロケーションアプリケーションは使用者の操作によってチェックイン、意見登録の機能が実行されるとその機能に対応する所定点数を足して総点数を計算してユーザインタフェース画面に各位置毎に統合された点数を表示する。ソーシャルロケーションアプリケーションはソーシャルロケーションサービスで提供される認証印としてスタンプを提供する。スタンプは機能型スタンプ、地域型スタンプ、企業型スタンプに区分される。
【００２６】
ソーシャルロケーションアプリケーションはチェックインを行った使用者数とチェックインを行った行為数に基づいて面積指標を計算して各位置での点数が高い使用者に所定比率で分けた面積指標を割り当てる。ソーシャルロケーションアプリケーションは使用者の操作によって特定位置を代表する位置を登録し他の使用者が登録された位置にチェックインを行うと使用者に位置に対応した面積指標を与える。ソーシャルロケーションアプリケーションは使用者に位置に対応した面積指標を与える時に所定点数を獲得した使用者に対して順位を付けて上位にランクされた使用者に所定比率で分けた値を与える。そして、ソーシャルロケーションアプリケーションは各位置での点数が高い使用者に提供された面積指標を地域毎に合算して上位者に地主の名誉を与える。また、ソーシャルロケーションアプリケーションは位置毎に点数が最も高い使用者に位置代表の名誉を与える。
【００２７】
ソーシャルロケーションアプリケーションは使用者が前にチェックインを行った位置をリストで提供する。ソーシャルロケーションアプリケーションはチェックインを行った位置に対して意見を登録した場合、自分が登録した意見にリストで出力する。
【００２８】
図３は、本発明によるソーシャルロケーションサービス方法で第２実施例の画面構成を示す例示図である。ソーシャルロケーションサービス方法はソーシャルロケーションアプリケーションのユーザインタフェース画面に位置、面積指標、チェックインした総回数、チェックインした人数、位置代表、点数、チェックインメニュー、順位、意見、地図を表示する。
【００２９】
ソーシャルロケーションアプリケーションは使用者がいる位置に対する名前を表示し位置面積で面積指標を表示する。ソーシャルロケーションアプリケーションは位置の価値を別途の算出基準によって表現した単位である面積指標を表示する。ソーシャルロケーションアプリケーションが面積指標を計算する時に使用される別途の算出基準については以下で説明する。
【００３０】
ソーシャルロケーションアプリケーションは瑞草区庁という位置に対して使用者がチェックインした総回数とチェックインした人数を表示する。そして、瑞草区庁という位置に対する位置代表である使用者の名前、総点数、地域毎に合算された面積指標、瑞草区庁に割り当てられた面積指標を表示する。
【００３１】
ソーシャルロケーションアプリケーションはユーザインタフェース画面に特定位置に使用者がいることを認証する行為を示すチェックインメニューを表示し、チェックインを行った使用者のリストを順位で表示し、位置に登録された意見を表示し、位置に対する周辺地形を含む地図を表示する。
【００３２】
ソーシャルロケーションアプリケーションはチェックインメニューを活性化するにあたっていくつかの条件を提示する。ソーシャルロケーションアプリケーションは同じ位置に対してチェックイン入力が提供された後は所定時間が経過した後にチェックインメニューを活性化し、近接する位置に対して所定時間の間に所定回数以下に対してのみチェックインメニューを活性化し、特定位置に対してチェックイン入力が提供された後の所定時間の間は所定距離以上離れた位置に対してのみチェックインメニューを活性化することが好ましい。
【００３３】
図４は、本発明によるソーシャルロケーションサービス方法で位置に対する価値評価方法を例示する図である。ソーシャルロケーションアプリケーションは登録された位置に対する使用者の行為に対して価値を評価する。価値評価は使用者が容易に認識できる方式で構成され、これについて以下で説明する。
【００３４】
位置に対する価値評価は該当位置にいることをチェックインした使用者の人数とチェックインの総回数に基づいてそれぞれに加重値を与えて価値を評価する。算出された価値評価の数値は使用者が容易に認識できる点数、等級、面積指標などで表現される。例えば、瑞草区庁という位置に使用者１００人が瑞草区庁にいることを総２００回認証した状況で使用者人数の加重値を６７％、認証した総回数の加重値を３３％とした場合、瑞草区庁の価値は１００×０．６７＋２００×０．３３＝１３３であり、これを１３３坪（この時、「坪」は大韓民国で通用される面積単位である）と表現することができる。ソーシャルロケーションアプリケーションは位置価値を該当位置の位置代表及び上位順位者に所定比率で分けて与える方法を適用してゲーム的な要素を提供する。
【００３５】
図５は、本発明によるソーシャルロケーションサービス方法で位置に対する面積指標を計算する算出式を示す例示図である。ソーシャルロケーションアプリケーションは瑞草区庁という位置に対して価値評価を実行して面積指標を提供する。ソーシャルロケーションアプリケーションはチェックインした総回数とチェックインした人数にそれぞれ加重値を適用して面積指標を計算する。例えば、瑞草区庁という位置に使用者１４人が瑞草区庁にいることを総２９３回認証し、使用者人数の加重値を８７％、認証回数の加重値を１３％とした場合、瑞草区庁の面積指標は１４×０．８７＋２９３×０．１３＝５０であり、これを５０坪と表現する。
【００３６】
ソーシャルロケーションアプリケーションは使用者の行為が所定条件を満たす場合に該当条件を満たした証拠に該当するスタンプを与える。ソーシャルロケーションアプリケーションはスタンプを与えられた使用者が該当スタンプを所有するか又は他の使用者に提供（プレゼント）できる機能を提供する。ソーシャルロケーションアプリケーションはスタンプの特性に応じて複数個のスタンプを与えられて保管する。スタンプを与える条件には所定期間の間のみ与えられるように制限することができ、随時新しい条件が追加されることができる。スタンプの種類として本明細書では機能型スタンプ、地域型スタンプ、企業型スタンプを提示する。
【００３７】
図６は、本発明によるソーシャルロケーションサービス方法で所定条件の組み合わせにより与えられる機能型スタンプを例示する図である。ソーシャルロケーションアプリケーションは位置登録、チェックイン、意見登録などの機能が実行されると所定条件の組み合わせにより機能型スタンプを与える。例えば、使用者が１０回目の位置登録を完了した場合、ソーシャルロケーションアプリケーションは機能型スタンプを与える。使用者が映画館に関係ある位置にチェックインを１０回行なった場合、ソーシャルロケーションアプリケーションは機能型スタンプを与える。
【００３８】
図７は、本発明によるソーシャルロケーションサービス方法で実際与えられた機能型スタンプの例示図である。ソーシャルロケーションアプリケーションは使用者が最初に位置登録を行った場合はこれを記念するためのスタンプを与える。また、ソーシャルロケーションアプリケーションは使用者が最初にチェックインを行なった場合はこれを記念するためのスタンプを与える。
【００３９】
図８は、本発明によるソーシャルロケーションサービス方法で特定地域範囲を代表する有形・無形の対象物を表現した地域型スタンプを例示する図である。ソーシャルロケーションアプリケーションは遺跡地、観光地、文化遺産など特定地域範囲を代表する有形・無形の対象物に対するチェックインに対して地域型スタンプを与える。使用者が該当地域型スタンプを受け取ることができる範囲内にいる場合のみ地域型スタンプがもらえるようにすることが好ましい。
【００４０】
ソーシャルロケーションアプリケーションは地域型スタンプの種類として切手型のスタンプと観光型のスタンプを提供する。切手型のスタンプは所定回数分与えられたスタンプを他の使用者に分配する属性を持つスタンプで、観光型のスタンプは使用者が特定地域に位置することで一回与えられ他の使用者に発送可能な属性を持つスタンプである。
【００４１】
図９は、本発明によるソーシャルロケーションサービス方法で実際与えられた地域型スタンプの例示図である。ソーシャルロケーションアプリケーションは光化門が位置する位置の特定地域範囲に使用者が位置する場合、観光地光化門スタンプを与える。ソーシャルロケーションアプリケーションはＧＰＳモジュールによる使用者の位置情報を参照して使用者が光化門の周辺に位置する場合、観光地光化門スタンプを与える。同様に、ソーシャルロケーションアプリケーションは楊州別山台ノリマダンに割り当てられた地域範囲に使用者が位置する場合、楊州別山台ノリマダンスタンプを与える。
【００４２】
図１０は、本発明によるソーシャルロケーションサービス方法で企業マーケティングのために与えられる企業型スタンプを例示する図である。ソーシャルロケーションアプリケーションは企業マーケティングなどを目的に製作された企業型スタンプを提供する。企業型スタンプは機能型スタンプと地域型スタンプの組み合わせで構成されるが、所定位置を訪れる度に地域型スタンプを使用者に与え所定回数分与えられた場合、機能型スタンプを提供する。
【００４３】
図１１は、本発明によるソーシャルロケーションサービス方法で実際与えられた企業型スタンプの例示図である。ソーシャルロケーションアプリケーションは使用者がＡというコーヒー専門店を訪れる度に地域型スタンプの機能に該当するスタンプを与え、スタンプの受け取りが１０回累積した場合は機能型スタンプの機能としてコーヒー無料交換スタンプを提供する。ソーシャルロケーションアプリケーションは使用者がコーヒー無料交換スタンプを利用してコーヒー専門店でコーヒーの無料提供を受けることができるようにする。
【００４４】
ソーシャルロケーションアプリケーションは特定位置にいることを認証する機能を提供する。ソーシャルロケーションアプリケーションは位置認証機能として販売時点情報管理（ＰＯＳ：Ｐｏｉｎｔ  ｏｆ  Ｓａｌｅｓ）機器による認証機能とカメラモジュールによる認証機能を提供する。ソーシャルロケーションアプリケーションの位置認証機能について説明する。
【００４５】
図１２は、本発明によるソーシャルロケーションサービス方法でＰＯＳ機器により使用者が特定位置にいることを証明する認証方法を示す例示図である。ソーシャルロケーションサービスサーバと連動するＰＯＳ機器が使用者のソーシャルロケーションサービスＩＤをデータベース化する。使用者がＰＯＳ機器を介して物品購買又は位置認証を要請する。ＰＯＳ機器は使用者が特定位置にいることを証明する内容をソーシャルロケーションサービスサーバに伝送する。ソーシャルロケーションサービスサーバはこれをデータベース化した後、使用者が所持する端末機に搭載されたソーシャルロケーションアプリケーションに認証結果をプッシュする。ソーシャルロケーションサービスＩＤがＰＯＳ機器に提供される方式にはソーシャルロケーションサービスＩＤが保存されたマグネティック又はバーコードで印刷された会員カードが提供されてもよく、ソーシャルロケーションアプリケーションがソーシャルロケーションサービスＩＤが保存されたバーコードを画面に出力する画像で提供してもよい。
【００４６】
図１３は、本発明によるソーシャルロケーションサービス方法でカメラ機能により使用者が特定位置にいることを証明する認証方法を示す例示図である。ソーシャルロケーションアプリケーションはカメラ機能を用いて該当位置のみに位置する造形物や印刷物であることを予め定めておいた対象物を写真撮影してソーシャルロケーションサービスサーバに伝送する。ソーシャルロケーションサービスサーバは写真に含まれた対象物を好ましくは自動的に認識して使用者が該当位置に位置することの真偽を判断する。他の実施例として、ソーシャルロケーションアプリケーションが写真に含まれた対象物の真偽を判断する機能を搭載してより迅速な真偽結果を提供するように拡張することができる。
【００４７】
図１４は、本発明のソーシャルロケーションサービス方法で識別コード又は画像を介して使用者が特定位置にいることを証明する方法を示す図である。ソーシャルロケーションサービスサーバと連動するＰＯＳ機器が位置する位置でソーシャルロケーションサービスサーバで発行した識別コード又は画像を領収書などの出力媒体を通じて提供する。使用者はソーシャルロケーションアプリケーションが提供するカメラ機能を用いて出力媒体に印刷された識別コード又は画像を写真撮影してソーシャルロケーションサービスサーバに伝送する。ソーシャルロケーションサービスサーバは識別コード又は画像を自動認識して使用者が該当位置にいることの真偽を判断する。
【００４８】
他の実施例として、ソーシャルロケーションアプリケーションが写真に含まれた識別コード又は画像の真偽を判断する機能を搭載してより迅速な真偽結果を提供することができるように拡張することができる。識別コード又は画像はバーコードのような媒体で提供され得る。ソーシャルロケーションサービスサーバは識別コード又は画像を発行する時に物品購買時点の購買情報及び顧客情報を含めて発行した後、発行結果をデータベース化することができ、識別コード又は画像の有効期間を設定して管理することができる。
【００４９】
図１５は、本発明で地域型スタンプのやりとりを行う方法を例示する図である。地域型スタンプは該当地域でのみ受け取ることができるため使用者が主にいる地域でない他の地域で与えられる様々な地域型スタンプを獲得することは困難である。そのため、地域型スタンプを使用者同士でプレゼントするやりとり機能はこのような困難さを解消し、様々なスタンプを欲しがる使用者の欲求を満たすことができる。
【００５０】
図１６は、本発明で地域型スタンプを要請する第１例示図である。地域型スタンプは該当位置に位置しなければ受け取ることができず、そのため、スタンプの受け取りに失敗したという結果画面が現れる。しかし、結果画面で「要請する」ボタンをクリックすると、そのスタンプのポスティングに要請する書き込みを載せることができる。これにより該当スタンプを所有する使用者からプレゼントを受けることができる。
【００５１】
図１７は、本発明で地域型スタンプを要請する第２例示図である。スタンプ画面内の「受け取った人」を押すとそのスタンプを受け取った人々のリストが現れ、受け取った人を選択してその人に該当スタンプを要請することができる。
【００５２】
図１８は、本発明で地域型スタンプをプレゼントする第１例示図である。地域型スタンプを複数個持っている場合、スタンプ画面で「プレゼントする」ボタンをクリックしてそのスタンプを要請した人や使用者の関心友達にプレゼントすることができる。一つ以上のスタンプを持っている場合、要請した人又は関心友達にプレゼントすることができる。
【００５３】
図１９は、本発明で地域型スタンプをプレゼントする第２例示図である。スタンプがある位置に位置することでスタンプを正常的に受け取った時の結果画面で「プレゼントする」ボタンをクリックするとそのスタンプを要請した人又は関心友達にプレゼントすることができる。
【００５４】
図２０乃至図２５は、本発明で使用者ポスティング機能を提供する方法、使用者ポスティング画面、関心ポスティング機能を提供する方法、関心ポスティング画面、周辺ポスティング機能を提供する方法、周辺ポスティング画面をそれぞれ示す図である。
【００５５】
ソーシャルロケーションアプリケーションではチェックイン、意見書き込み、意見評価を通じて点数を獲得し、その点数が累積してその位置の上位５位以内に入ると面積指標を得るようになり、１位になるとその場の位置代表になる。そして、面積指標が累積すると地主の名誉を得ることができる。また、使用者の行為が所定条件を満たす場合にはスタンプを受け取るようになる。
【００５６】
このようなソーシャルロケーションアプリケーションの使用者は他の使用者と競い合いながら情報をやりとりして親睦を深めることができるコミュニケーション空間を必要とする。そのため、使用者同士の円滑なコミュニケーションのためにポスティング機能を提供する。ポスティングの種類には使用者ポスティング、関心ポスティング、周辺ポスティングの３種類がある。
【００５７】
使用者ポスティングにはそこに直接訪れて残した書き込みと他の対象（人、位置、スタンプ）のポスティングに書き込みを残した場合は原文へのリンクと位置代表になった場合はそれを知らせる文章を掲示して表示する。
【００５８】
関心ポスティングでは使用者が関心対象に追加した友達、位置、スタンプのポスティングを集めてポスティング内の書き込みを時間順に表示する。ソーシャルロケーションアプリケーションで発行するお知らせメッセージ（レス又は地主等級の下落）を表示する。
【００５９】
周辺ポスティングは使用者が現在位置する位置の近くにある周辺位置と周辺地域スタンプのポスティングに残された書き込みを時間順に集めて表示する。
図２６は、本発明で関心を与えている友達画面、関心を寄せてくれている友達画面、関心位置画面を例示する図である。ソーシャルロケーションアプリケーションでは使用者が自らが保有しているスタンプと位置代表、地主、ポスティングをより便利に管理できるようにするために「関心を与える」という機能を提供する。
【００６０】
「関心を与える」機能は使用者が関心を持つ対象を簡単に閲覧できるようにする。関心を与えることができる対象は人にのみ限定されず位置とスタンプにも関心を与えることができる。関心を与えた使用者は関心友達リストで、そして、関心を与えたスタンプと位置は関心位置のリストで見ることができ、これを通じて持続的な管理を行うことができる。 
【図１】
2012524359.tif 000003
【図２】
2012524359.tif 000004
【図３】
2012524359.tif 000005
【図４】
2012524359.tif 000006
【図５】
2012524359.tif 000007
【図６】
2012524359.tif 000008
【図７】
2012524359.tif 000009
【図８】
2012524359.tif 000010
【図９】
2012524359.tif 000011
【図１０】
2012524359.tif 000012
【図１１】
2012524359.tif 000013
【図１２】
2012524359.tif 000014
【図１３】
2012524359.tif 000015
【図１４】
2012524359.tif 000016
【図１５】
2012524359.tif 000017
【図１６】
2012524359.tif 000018
【図１７】
2012524359.tif 000019
【図１８】
2012524359.tif 000020
【図１９】
2012524359.tif 000021
【図２０】
2012524359.tif 000022
【図２１】
2012524359.tif 000023
【図２２】
2012524359.tif 000024
【図２３】
2012524359.tif 000025
【図２４】
2012524359.tif 000026
【図２５】
2012524359.tif 000027
【図２６】
2012524359.tif 000028
【国際調査報告】
2012524359.tif 000029
2012524359.tif 000030
2012524359.tif 000031
2012524359.tif 000032